(57)【要約】【課題】コネクタハウジングの強度低下を防止する。【解決手段】複数の貫通孔３０Ｈを有するフェライトコア３０Ａ、３０Ｂと、各貫通孔３０Ｈに挿通され、入出力部となる複数本のタブ端子部２２Ａ、２２Ｂと各タブ端子部２２Ａ、２２Ｂの端部同士を連結する基部２３とが形成された端子金具２０と、フェライトコア３０Ａ、３０Ｂ及び端子金具２０を取り囲むようにして成形され、相手側コネクタハウジングと嵌合可能なコネクタハウジング１１とを備えたフェライトコア内蔵コネクタであって、フェライトコア３０Ａ、３０Ｂは長辺部ＬＬと短辺部ＳＬとを有して形成される一方、フェライトコア３０Ａ、３０Ｂの両短辺部ＳＬに位置する各側面Ｍは、コネクタハウジング１１との対向面との間に間隙Ｓが保有されて、対向面から離間している。【選択図】図３
2014229488.tif 000002
【特許請求の範囲】
【請求項１】
複数の貫通孔を有するフェライトコアと、
前記各貫通孔に挿通され、入出力部となる複数本のタブ端子部と各タブ端子部の端部同士を連結する基部とが形成された端子金具と、
前記フェライトコア及び前記端子金具を取り囲むようにして成形され、相手側コネクタハウジングと嵌合可能なコネクタハウジングとを備えたフェライトコア内蔵コネクタであって、
前記フェライトコアは長辺部と短辺部とを有して形成される一方、前記フェライトコアの前記両短辺部に位置する各側面は、前記コネクタハウジングとの対向面との間に間隙が保有されて、前記対向面から離間していることを特徴とするフェライトコア内蔵コネクタ。
【請求項２】
前記フェライトコアは前記各タブ端子部に対し先端側から挿通されるとともに、前記フェライトコアの前面には前記コネクタハウジングと一体に形成された抜け止め壁が設けられていることを特徴とする請求項１に記載のフェライトコア内蔵コネクタ。
【請求項３】
前記タブ端子部のうち、前記入力部となるものに貫通された前記フェライトコアと、前記出力部となるものに貫通された前記フェライトコアとは、除去可能なノイズ成分の周波数帯域が異なることを特徴とする請求項１又は請求項２に記載のフェライトコア内蔵コネクタ。
【発明の詳細な説明】
【技術分野】
【０００１】
本発明は、フェライトコア内蔵コネクタに関するものである。
【背景技術】
【０００２】
コネクタの中には、ＣＡＮ（Ｃｏｎｔｒｏｌ  Ａｒｅａ  Ｎｅｔｗｏｒｋ）通信によって自動車に搭載された電子部品を制御しており、信号伝送に悪影響を及ぼすノイズ電流を除去するために、嵌合方向に突出するバスバー端子に対して、ブロック状のフェライトコアを嵌めこんだものが知られている。
【０００３】
ところで、フェライトコアをバスバー端子と共にインサート成形により合成樹脂製のコネクタハウジング内に埋設してコネクタを形成すると、樹脂硬化の際の収縮力による圧縮応力によりフェライトコアが損傷に至る虞がある。よって、下記特許文献１では、コネクタハウジングに開口部を形成し、圧縮応力が最も大きく働くフェライトコアの長手方向の両端面を開口部より露出させることで圧縮応力によるフェライトコアの損傷の防止する技術が開示されている。
【先行技術文献】
【特許文献】
【０００４】
【特許文献１】特許第５１７２６１６号
【発明の概要】
【発明が解決しようとする課題】
【０００５】
しかしながら、上述のようにコネクタハウジングに開口部を形成してしまうとコネクタハウジング自体の強度が低下してしまう問題点があった。
【０００６】
本発明は上記のような事情に基づいて完成されたものであって、コネクタハウジングの強度が高いフェライトコア内蔵コネクタを提供することを目的とする。
【課題を解決するための手段】
【０００７】
本発明のフェライトコア内蔵コネクタは、
複数の貫通孔を有するフェライトコアと、
前記各貫通孔に挿通され、入出力部となる複数本のタブ端子部と各タブ端子部の端部同士を連結する基部とが形成された端子金具と、
前記フェライトコア及び前記端子金具を取り囲むようにして成形され、相手側コネクタハウジングと嵌合可能なコネクタハウジングとを備えたフェライトコア内蔵コネクタであって、
前記フェライトコアは長辺部と短辺部とを有して形成される一方、前記フェライトコアの前記両短辺部に位置する各側面は、前記コネクタハウジングとの対向面との間に間隙が保有されて、前記対向面から離間していることを特徴とする。
【発明の効果】
【０００８】
本発明によれば、フェライトコアの短辺部に位置する側面とコネクタハウジングの対向面との間は、両間に保有された間隙によって離間されているため、コネクタハウジングのを成形した後の収縮力がフェライトコアに作用する事態を回避することができる。このような対策を採ることで、従来のようにコネクタハウジングに開口部を設けずに済むため、コネクタハウジングの強度を低下させてしまう懸念もなくなる。
【図面の簡単な説明】
【０００９】
【図１】実施例１に係るバスバー端子とフェライトコアの模式図
【図２】同じくフェライトコア内蔵コネクタの側断面図
【図３】同じくフェライトコア内蔵コネクタの平断面図
【図４】同じくフェライトコア内蔵コネクタの正面図
【図５】同じくフェライトコア内蔵コネクタのインサート成形時の模式図
【発明を実施するための形態】
【００１０】
本発明における好ましい実施の形態を説明する。
【００１１】
（１）本発明のフェライトコア内蔵コネクタは、
前記フェライトコアは前記各タブ端子部に対し先端側から挿通されるとともに、前記フェライトコアの前面には前記コネクタハウジングと一体に形成された抜け止め壁が設けられている構成とすることが好ましい。
この構成によれば、フェライトコアの前面にコネクタハウジングと一体に形成された抜け止め壁が配されるため、フェライトコアの端子金具からの抜けが確実に防止される。
【００１２】
（２）本発明のフェライトコア内蔵コネクタは、
前記タブ端子部のうち、前記入力部となるものに貫通された前記フェライトコアと、前記出力部となるものに貫通された前記フェライトコアとは、除去可能なノイズ成分の周波数帯域が異なる構成とすることが好ましい。
この構成によれば、入力部から出力部までの導通経路において、除去可能なノイズ成分の周波数帯域の異なるフェライトコアを経由する為、フェライトコア内蔵コネクタにおけるノイズ除去特性が向上する。
【００１３】
次に、本発明のフェライトコア内蔵コネクタを具体化した実施例１について、図面を参照しつつ説明する。
【００１４】
＜実施例１＞
本実施例のフェライトコア内蔵コネクタ１０（以下では、単にコネクタ１０と称する。）はバスバー端子（端子金具）２０と、ノイズ除去用の２種類のフェライトコア３０Ａ、３０Ｂと、コネクタハウジング１１とを備えて構成されている。尚、以下の説明において、前後方向については、図３の右側を前側、左側を後側とする。
【００１５】
コネクタハウジング１１は合成樹脂製であり、図３に示すように、前方に開口部１１Ｈを有した角筒状のフード部１２を備え、このフード部１２内には、回路ユニット４０がインサート成形によって一体に組み込まれている。回路ユニット４０はバスバー端子２０とフェライトコア３０Ａ、３０Ｂから構成されており、詳細については後述する。
【００１６】
バスバー端子２０は、銅合金等の金属の導電性板材を打ち抜いて曲げ加工等を施すことで成形されており、タブ状をなす８本のタブ端子部２２Ａ、２２Ｂとそれらの端部を連結する基部２３から成る。図１、図４に示すように、上段に位置する４本のタブ端子部２２Ａが正極側端子（入力部）２３Ａであり、下段に位置する４本のタブ端子部２２Ｂが負極側端子（出力部）２３Ｂである。各タブ端子部２２Ａ、２２Ｂは図１に示すように、基部２３より長手方向に対して等間隔で延出形成されている。そして８本のタブ端子部２２Ａ、２２Ｂは、共に図示しない相手方コネクタの雌端子金具と電気的に接続する。
【００１７】
フェライトコア３０Ａ、３０ＢはＦＭ周波数帯域のノイズ成分についての除去効果が高い第１フェライトコア３０Ａと、ＡＭ周波数帯域のノイズ成分についての除去効果が高い第２フェライトコア３０Ｂの２種類で構成されている。第１フェライトコア３０Ａの材質にはＮｉ−Ｚｎ系フェライトを、第２フェライトコア３０Ｂの材質にはＭｎ−Ｚｎフェライト材を用いる。また、第１、第２フェライトコア３０Ａ、３０Ｂは共に、図４に示すように、短辺部ＳＬと長辺部ＬＬを有し、略ブロック状を成している。そして、タブ端子部２２Ａ、２２Ｂが圧入気味に貫通可能なように４本の貫通孔３０Ｈが開口している。また、第１、第２フェライトコア３０Ａ、３０Ｂにはその全面に図示しない樹脂被覆が薄くコーティングされており、タブ端子部２２Ａ、２２Ｂに装着する際にフェライトコア３０Ａ、３０Ｂが損傷するのを防止している。
【００１８】
本実施例における成形用金型５０は、図５に示すように、開閉可能な第１型５１と第２型５２とからなる。金型５０は、回路ユニット４０を金型５０内に仕掛けた状態で型閉じすると、回路ユニット４０周りにコネクタハウジング１１を成形可能な成形空間Ｃが保有されるようになっている。
【００１９】
図５に示すように、第１型５１にはコネクタハウジング１１の外面を形成する第１成形部５１Ａが凹み形成されている。第２型５２には型閉じ時に第１成形部５１Ａの内側に進入し第１成形部５１Ａとの間でフード部１２を成形可能な第２成形部５２Ａが突出形成されている。第２成形部５２Ａには、型閉じ状態でバスバー端子２０の各タブ端子部２２Ａ、２２Ｂとの干渉を回避するための逃がし孔５３が複数個所に穿孔されている。第２成形部５２Ａの前面は、型閉じ状態で、フェライトコア３０Ａ、３０Ｂの前面との間に所定の隙間Ｃ２が保有されるように設定されており、この隙間Ｃ２はフェライトコア３０Ａ、３０Ｂに対する抜け止め壁１３を成形するためのものである。
【００２０】
第２成形部５２Ａにおいて、フェライトコア３０Ａ、３０Ｂの両短辺部ＳＬと対応する側の両端部からは一対の成形突部５４が突出している。両成形突部５４は、型閉じ時においてフェライトコア３０Ａ、３０Ｂにおける両短辺部ＳＬの両側面Ｍに対し略密着状態で覆うようになっている。このことにより、コネクタハウジング１１が成形された後には、図３に示すように、フェライトコア３０Ａ、３０Ｂの両短辺部ＳＬの両側面Ｍとフード部１２の内面（対向面）との間には間隙Ｓが保有されることになる。但し、第２成形部５２Ａにおいてフェライトコア３０Ａ、３０Ｂの両長辺部ＬＬと対応する側の両端部には上記したような成形突部５４は設けられていない。したがって、コネクタハウジング１１が成形された後は、図２、４に示すように、フェライトコア３０Ａ、３０Ｂにおける両長辺部ＬＬに位置する両側面はフード部１２の内面及び抜け止め壁１３に連続した状態で成形される保護壁１４にて覆われることになる。
【００２１】
次に、コネクタ１０の組み立て手順の一例を説明する。まず、バスバー端子２０の正極側端子２２Ａ（上段）側の４本のタブ端子部２３Ａを第１フェライトコア３０Ａの４本の貫通孔３０Ｈに通し、第１フェライトコア３０Ａが基部２３に当接するまで嵌めこむ。また、同様の手順で、負極側端子２２Ｂ（下段）側についても４本のタブ端子部２３Ｂに第２フェライトコア３０Ｂを基部２３に当接するまで嵌めこんで回路ユニット４０を組み立てる。
【００２２】
次に、第１型５１及び第２型５２との間に回路ユニット４０を仕掛けた状態で型閉じを行い、コネクタハウジング１１の成形空間Ｃを形成する。第１型５１に設けられたゲートＧから溶融した樹脂を注入する。そして、成形空間Ｃ全体に樹脂が充填されたら、樹脂の注入を停止する。樹脂の硬化が完了すれば、コネクタハウジング１１がインサート成形により形成され、コネクタ１０の組み立てが完了する。
【００２３】
図５に示すように、第２型５２に設けられた両成形突部５４はフェライトコア３０Ａ、３０Ｂの両短辺部ＳＬの両側面Ｍを略密着状態で覆っている。よって、フェライトコア３０Ａ、３０Ｂの両短辺部ＳＬの両側面Ｍとフード部１２の内面との間には樹脂が流入せず、間隙Ｓが形成される。一方で、第２成形部５２Ａの型面とフェライトコア３０Ａ、３０Ｂの前面との間の隙間Ｃ２には、樹脂が流入してフェライトコア３０Ａ、３０Ｂの前面に抜け止め壁１３が形成される。更に、フェライトコア３０Ａ、３０Ｂにおける両長辺部ＬＬに位置する両側面はフード部１２の内面及び抜け止め壁１３に連続した状態で成形される保護壁１４にて覆われる。
【００２４】
実施例１の作用について説明すると、コネクタ１０の正極側端子２３Ａに入力されたノイズ成分を含む信号電流は第１フェライトコア３０Ａ及び第２フェライトコア３０Ｂを経由することで、ＦＭ及びＡＭ周波数帯域におけるノイズ電流が除去される。そして、負極側端子２３Ｂからはクリアな信号電流のみが出力される。
【００２５】
次に、実施例１の効果について説明する。
【００２６】
本実施例によれば、フェライトコア３０Ａ、３０Ｂの短辺部ＳＬに位置する両側面Ｍとコネクタハウジング１１のフード部１２内面との間は、両間に保有された間隙Ｓによって離間されているため、コネクタハウジング１１を成形した後の収縮力がフェライトコア３０Ａ、３０Ｂに作用する事態を回避することができる。このような対策を採ることで、従来のようにコネクタハウジング１１に開口部を設けずに済むため、コネクタハウジング１１の強度を低下させてしまう懸念もなくなる。
【００２７】
フェライトコア３０Ａ、３０Ｂの前面にコネクタハウジング１１と一体に形成された抜け止め壁１３が配されるため、フェライトコア３０Ａ、３０Ｂのバスバー端子２０からの抜けが確実に防止される。
【００２８】
また、入力部である正極側端子２２Ａから出力部である負極側端子２２Ｂまでの導通経路において、除去可能なノイズ成分の周波数帯域の異なる２種類のフェライトコア（第１、第２フェライトコア）３０Ａ、３０Ｂを経由する為、コネクタ１０におけるノイズ除去特性が向上する。
【００２９】
以上、本発明によれば、フェライトコア３０Ａ、３０Ｂの損傷を防ぎつつ、コネクタハウジング１１の強度を損なうことがないフェライトコア内蔵コネクタ１０を提供することが可能となる。
【００３０】
＜他の実施例＞
本発明は上記記述及び図面によって説明した実施例に限定されるものではなく、例えば次のような実施例も本発明の技術的範囲に含まれる。
（１）上記実施例では、フェライトコアをブロック状としたが、これに限らず、環状であっても良い。
（２）上記実施例では、フェライトコアにＮｉ−Ｚｎ系フェライト材にて作製した第１フェライトコアとＭｎ−Ｚｎ系フェライト材にて作製した第２フェライトコアの２種類を用いたが、これに限らず、２種類のうちいずれか１種類でも良い。
（３）上記実施例では、フェライトコアを第１、第２フェライトコアの２種類用いたが、これに限らず、ノイズ除去可能な周波数帯域の異なる３種類以上のフェライトコアを用いても良い。
（４）上記実施例では、端子金具のタブ端子部の極数を８としたが、これに限らず、端子部の極数に制限はない。
（５）上記実施例では、タブ端子部を上下２段で設けたが、これに限らず、１段あるいは３段以上設けても良い。
（６）上記実施例では、上下段のタブ端子部にフェライトコアを嵌め込んだが、これに限らず、上段あるいは下段のみにフェライトコアを嵌め込んでも良い。
（７）上記実施例では、フェライトコアにＮｉ−Ｚｎ系フェライト材及びＭｎ−Ｚｎ系フェライト材を用いたが、これに限らず、フェライトコアの材料に制限はない。また、同じ材料であってもセラミック状ではなく結晶状のナノクリスタル材を用いても良い。
（８）上記実施例では、入出力部を一対とするタブ端子部の各対間を基部にて連結してしたが、これに限らず、各対間の連結はなくし、入出力部間のみを基部にて連結する形態としても良い。この場合、タブ端子部の各対間は電気的に分離されている。
【符号の説明】
【００３１】
１０…フェライトコア内蔵コネクタ
１１…コネクタハウジング
１３…抜け止め壁
２０…バスバー端子（端子金具）
２２Ａ…タブ端子部（入力部）
２２Ｂ…タブ端子部（出力部）
２３…基部
３０Ａ、３０Ｂ…第１、第２フェライトコア（フェライトコア）
３０Ｈ…貫通孔
ＬＬ…長辺部
ＳＬ…短辺部
Ｍ…側面
Ｓ…間隙
【図１】
2014229488.tif 000003
【図２】
2014229488.tif 000004
【図３】
2014229488.tif 000005
【図４】
2014229488.tif 000006
【図５】
2014229488.tif 000007